(57)【要約】【課題】無線品質の改善に係る設備投資を抑制することを課題とする。【解決手段】無線品質収集装置は、無線エリアの品質情報を前記無線エリアに位置する端末装置から受信する。無線品質収集装置は、所定の範囲に属する地域ごとに、受信された品質情報の数を計数する。無線品質収集装置は、計数された品質情報の総数が所定数以上の地域について、当該地域に属する品質情報の中から、所定数の品質情報を選択して所定の記憶部に格納する。【選択図】図４
2014212399.tif 000002
【特許請求の範囲】
【請求項１】
無線エリアの品質情報を前記無線エリアに位置する端末装置から受信する受信部と、
所定の範囲に属する地域ごとに、前記受信部によって受信された品質情報の数を計数する計数部と、
前記計数部によって計数された品質情報の総数が所定数以上の地域について、当該地域に属する品質情報の中から、前記所定数の品質情報を選択して所定の記憶部に格納する格納制御部と
を有することを特徴とする無線品質収集装置。
【請求項２】
前記品質情報の総数が所定数以上の地域に位置する端末装置に設定される、前記品質情報を収集して送信する周期を、現在設定される周期より長い周期に変更する第１測定変更部をさらに有することを特徴とする請求項１に記載の無線品質収集装置。
【請求項３】
前記品質情報の総数が予め設定された下限値以下の地域に位置する端末装置に設定される、前記品質情報を収集して送信する周期を、現在設定される周期より短い周期に変更する第２測定変更部をさらに有することを特徴とする請求項１に記載の無線品質収集装置。
【請求項４】
前記格納制御部は、前記品質情報の総数が所定数以上の地域について、前記受信部により受信された順に、前記品質情報の総数を前記所定数で除算した結果の整数部の値の間隔で、前記品質情報を選択して前記所定の記憶部に格納することを特徴とする請求項１から３のいずれか一つに記載の無線品質収集装置。
【請求項５】
コンピュータが、
無線エリアの品質情報を前記無線エリアに位置する端末装置から受信し、
所定の範囲に属する地域ごとに、受信した品質情報の数を計数し、
計数した品質情報の総数が所定数以上の地域について、当該地域に属する品質情報の中から、前記所定数の品質情報を選択して所定の記憶部に格納する
処理を含んだことを特徴とする無線品質収集方法。
【請求項６】
コンピュータに、
無線エリアの品質情報を前記無線エリアに位置する端末装置から受信し、
所定の範囲に属する地域ごとに、受信した品質情報の数を計数し、
計数した品質情報の総数が所定数以上の地域について、当該地域に属する品質情報の中から、前記所定数の品質情報を選択して所定の記憶部に格納する
処理を実行させることを特徴とする無線品質収集プログラム。
【発明の詳細な説明】
【技術分野】
【０００１】
本発明は、無線品質収集装置、無線品質収集方法および無線品質収集プログラムに関する。
【背景技術】
【０００２】
複数の事業者によって携帯電話システムが構築され、様々なサービスが提供されている。無線基地局と端末間とで構成される無線エリアの状態は、時間や場所によって変化する。このため、無線エリアの無線品質を電測によって計測し、通信状態を改善することが行われている。
【０００３】
一般的に、電測は高コストなドライブテストによって実施される。近年では、コストを抑える手法として、ＭＤＴ（Minimization  of  Drive  Test）の技術が利用されている。このＭＤＴは、無線エリア内の無線品質をユーザが所有する端末にて測定し、測定結果をオペレータに自動的に報告させる技術である。このようにして、端末から収集された品質情報は、携帯電話システムを提供する事業者のデータベースに登録されて、品質改善に利用される。
【０００４】
また、無線品質の収集周期を変更する技術としては、品質情報の収集を行なった端末の位置情報の精度によって、収集周期を変化させる技術が知られている。また、端末が情報収集を行なった時間間隔や端末のバッテリーの状態に応じて、収集周期を変化させる技術が知られている。
【先行技術文献】
【特許文献】
【０００５】
【特許文献１】特開２０１２−２９０５３号公報
【特許文献２】特開２０１２−８５２３５号公報
【特許文献３】特開２０１１−２２３１１８号公報
【発明の概要】
【発明が解決しようとする課題】
【０００６】
しかしながら、上記技術では、例えば人が収集する無線エリアなどが発生した場合には、品質情報が過剰に収集されることになり、端末から収集した品質情報を記憶させる記憶装置が肥大化するので、無線品質の改善に係る設備投資が過剰になるという問題がある。
【０００７】
開示の技術は、上記に鑑みてなされたものであって、無線品質の改善に係る設備投資を抑制できる無線品質収集装置、無線品質収集方法および無線品質収集プログラムを提供することを目的とする。
【課題を解決するための手段】
【０００８】
本願の開示する無線品質収集装置は、一つの態様において、無線エリアの品質情報を前記無線エリアに位置する端末装置から受信する受信部を有する。無線品質収集装置は、所定の範囲に属する地域ごとに、前記受信部によって受信された品質情報の数を計数する計数部を有する。無線品質収集装置は、前記計数部によって計数された品質情報の総数が所定数以上の地域について、当該地域に属する品質情報の中から、前記所定数の品質情報を選択して所定の記憶部に格納する格納制御部を有する。
【発明の効果】
【０００９】
本願の開示する無線品質収集装置、無線品質収集方法および無線品質収集プログラムの一つの態様によれば、無線品質の改善に係る設備投資を抑制できる。
【図面の簡単な説明】
【００１０】
【図１】図１は、実施例１に係る無線通信システムの全体構成例を示す図である。
【図２】図２は、実施例１に係る端末装置の構成を示すブロック図である。
【図３】図３は、実施例１に係る無線品質収集装置の構成を示すブロック図である。
【図４】図４は、実施例１に係る無線品質収集装置が実行する処理を説明する図である。
【図５】図５は、無線品質収集装置が受信する測定データの例を示す図である。
【図６】図６は、無線品質収集装置が測定データを地域ごとに分類した例を示す図である。
【図７】図７は、無線品質収集装置が地域ごとに測定データを計数した結果の例を示す図である。
【図８】図８は、実施例１に係る無線品質収集装置が実行する格納制御処理の流れを示すフローチャートである。
【図９】図９は、実施例１に係る無線通信システムが実行する処理シーケンス図である。
【図１０】図１０は、実施例１に係る無線通信システムが実行する処理を説明する図である。
【発明を実施するための形態】
【００１１】
以下に、本願の開示する無線品質収集装置、無線品質収集方法および無線品質収集プログラムの実施例を図面に基づいて詳細に説明する。なお、この実施例によりこの発明が限定されるものではない。
【実施例１】
【００１２】
［全体構成例］
図１は、実施例１に係る無線通信システムの全体構成例を示す図である。図１に示すように、この無線通信システムは、基地局装置１と端末装置１０とコアネットワーク４と監視制御ネットワーク６０とを有する。
【００１３】
基地局装置１は、所定の無線エリアを管理し、管理する無線エリアに位置する端末装置１０と交信する装置である。端末装置１０は、基地局装置１を介して他の端末装置と通信を実行する装置であり、例えば携帯電話やスマートフォンの一例である。
【００１４】
コアネットワーク４は、ＳＧＷ（Serving  Gateway）２とＭＭＥ（Mobility  Management  Entity）３などから構成されるネットワークである。ＳＧＷ２は、例えばＬＴＥ（Long  Term  Evolution）や３ＧＰＰ（Third  Generation  Partnership  Project）無線を収容し、ユーザデータ等をルーティングする中継装置である。ＭＭＥ３は、制御データを中継するアクセスゲートウェイである。
【００１５】
監視制御ネットワーク６０は、無線品質収集装置３０とＥＭＳ（Element  Management  Systems）／ＮＭＳ（Network  Management  Systems）４０と品質情報ＤＢ（DataBase）５０などから構成される、端末装置１０を監視制御するネットワークである。
【００１６】
無線品質収集装置３０は、基地局装置１を介して、端末装置１０から無線エリアの品質情報を収集するサーバ装置である。ＥＭＳ／ＮＭＳ４０は、ネットワーク全体を管理するサーバ装置であり、例えば基地局装置１を介して端末装置１０を管理する。品質情報ＤＢ５０は、端末装置１０から収集された品質情報を記憶するデータベースサーバ等であり、ここで記憶される情報が無線の品質改善に利用される。
【００１７】
このような状態において、無線品質収集装置３０は、無線エリアの品質情報を無線エリアに位置する端末装置１０から受信する。そして、無線品質収集装置３０は、所定の範囲に属する地域ごとに、受信された品質情報の数を計数する。その後、無線品質収集装置３０は、計数された品質情報の総数が所定数以上の地域について、当該地域に属する品質情報の中から、所定数の品質情報を選択して品質情報ＤＢ５０に格納する。
【００１８】
このように、無線品質収集装置３０は、端末装置１０から無線エリアの品質情報を受信し、端末が集中する無線エリアについて受信済みの品質情報を間引いて品質情報ＤＢ５０に登録することができる。したがって、無線品質収集装置３０は、品質情報ＤＢ５０の肥大化を抑制し、無線品質の改善に係る設備投資を抑制することができる。
【００１９】
［各装置の構成］
次に、図１に示した各装置の構成について説明する。なお、ＳＧＷ２は一般的なＳＧＷと同様の構成を有し、ＭＭＥ３については一般的なＭＭＥと同様の構成を有し、基地局装置１は一般的な基地局と同様の構成を有するので、詳細な説明は省略する。また、ＥＭＳ／ＮＭＳ４０は一般的なサーバ装置等と同様の構成を有し、品質情報ＤＢ５０は、一般的なデータベースまたはデータベースサーバと同様の構成を有するので、詳細な説明は省略する。ここでは、端末装置１０と無線品質収集装置３０とについて説明する。
【００２０】
［端末装置の構成］
図２は、実施例１に係る端末装置の構成を示すブロック図である。図２に示すように、端末装置１０は、アンテナ１１、無線部１２、オーディオ入出力部１３、表示部１４、ＧＰＳ（Global  Positioning  System）測定部１５、記憶部１６、プロセッサ１７を有する。なお、図２に示したハードウェア構成は一例であり、近距離無線部などの他のハードウェアを有していてもよい。
【００２１】
アンテナ１１は、各種データなどの無線信号を送受信する送受信機の一例である。無線部１２は、アンテナ１１を介して、無線通信を実行するＣＣＰＵ（Communication  Central  Processing  Unit）などの一例である。例えば、無線部１２は、アンテナ１１を介して信号を受信し、受信信号をプロセッサ１７へ出力する。また、無線部１２は、アンテナ１１を介して、プロセッサ１７によって生成された信号を送信する。この無線部１２は、例えば端末装置１０が通話可能な携帯電話機である場合には、ユーザの発話音声や受話音声などの信号を送受信する。
【００２２】
オーディオ入出力部１３は、音声の集音や音声出力を実行する入出力インタフェースの一例である。例えば、オーディオ入出力部１３は、マイク１３ａで集音した音声にオーディオ処理を施すと共に、無線部１２経由で受信した無線信号内の音声信号にオーディオ処理を施してスピーカ１３ｂから音響出力する。
【００２３】
表示部１４は、各種情報を表示するディスプレイやタッチパネルの一例である。例えば、表示部１４は、プロセッサ１７によって実行されたアプリケーション等の画面や発着信の情報などを表示する。ＧＰＳ測定部１５は、ＧＰＳ衛星と通信して現在位置を測定する測定器である。
【００２４】
記憶部１６は、端末装置１０の各種機能を実行するためのデータや各種プログラムを格納する記憶装置である。記憶部１６の一例としては、ＲＯＭ（Read  Only  Memory）、ＲＡＭ（Random  Access  Memory）、ハードディスクなどがある。
【００２５】
プロセッサ１７は、記憶部１６が有するＲＯＭやＲＡＭに記憶されるプログラムやデータを用いて、端末装置１０の全体を制御する。プロセッサ１７の一例としては、例えばＣＰＵ（Central  Processing  Unit）やＭＰＵ（Micro  Processing  Unit）などがある。
【００２６】
このプロセッサ１７は、ＲＯＭ等に記憶されるプログラムをＲＡＭに展開して、各種処理に対応する各種プロセスを実行する。ここで、プロセッサ１７が実行する処理の具体例を説明する。なお、プロセッサ１７は、端末装置１０が実行する一般的な処理を実行するが、ここでは省略する。なお、一般的な処理には、Ｗｅｂ処理、メール送受信、ゲームやＳＮＳなどの各種アプリケーションの実行、アプリケーションのダウンロードやインストールなどがある。
【００２７】
（無線品質の測定処理）
プロセッサ１７は、所定のタイミングで、端末装置１０が位置する無線エリアの品質を測定する。具体的には、プロセッサ１７は、無線品質収集装置３０からＥＭＳ／ＮＭＳ４０を介して通知された測定周期で、基地局装置１が随時送信している信号等を用いて無線エリアの品質を測定する。
【００２８】
例えば、プロセッサ１７は、基地局装置１から送信されるパイロットチャネルの強さ、基地局装置１から送信される信号と当該信号を受信した時のノイズとの比率等によって、無線エリアの品質を測定する。
【００２９】
（位置情報の測定処理）
プロセッサ１７は、ＧＰＳ測定部１５を用いて端末装置１０の位置情報を測定する。例えば、プロセッサ１７は、無線品質の測定が完了すると、ＧＰＳ測定部１５が測定した位置情報を取得して、無線品質を測定した位置情報を特定する。
【００３０】
（測定データの送信処理）
プロセッサ１７は、無線エリアの品質情報を無線品質収集装置３０に送信する。例えば、プロセッサ１７は、無線品質の測定および位置情報の測定が終了すると、測定した品質情報と位置情報とを含む測定データを無線品質収集装置３０に送信する。なお、ここで送信される測定データには、例えば、端末装置１０を識別する端末ＩＤ、無線品質を測定した測定時刻等が含まれる。
【００３１】
［無線品質収集装置の構成］
図３は、実施例１に係る無線品質収集装置の構成を示すブロック図である。図３に示すように、無線品質収集装置３０は、通信インタフェース３１、入力装置３２、表示装置３３、記憶部３４、プロセッサ３５を有する。なお、図３に示したハードウェア構成は一例であり、他のハードウェアを有していてもよい。
【００３２】
通信インタフェース３１は、基地局装置１、ＳＧＷ２、ＭＭＥ３、ＥＭＳ／ＮＭＳ４０、品質情報ＤＢ５０等との間で、データの送受信を実行するインタフェースであり、例えばネットワークインタフェースカードや無線インタフェースなどである。
【００３３】
入力装置３２は、ユーザ等からの入力を受け付ける装置であり、例えばマウスやキーボードなどである。表示装置３３は、各種情報を表示するディスプレイやタッチパネルなどである。
【００３４】
記憶部３４は、無線品質収集装置３０の各種機能を実行するためのデータや各種プログラムを格納する記憶装置である。記憶部３４の一例としては、ＲＯＭ、ＲＡＭ、ハードディスクなどがある。
【００３５】
プロセッサ３５は、記憶部３４が有するＲＯＭやＲＡＭに記憶されるプログラムやデータを用いて、無線品質収集装置３０の全体を制御する。プロセッサ３５の一例としては、例えばＣＰＵやＭＰＵなどがある。このプロセッサ３５は、ＲＯＭ等に記憶されるプログラムをＲＡＭに展開して、各種処理に対応する各種プロセスを実行する。
【００３６】
ここで、プロセッサ３５が実行する処理を説明する。図４は、実施例１に係る無線品質収集装置が実行する処理を説明する図である。無線品質収集装置３０は、受信部３５ａと地域メッシュ演算部３５ｂと計数部３５ｃとデータ転送部３５ｄと測定数制御部３５ｅと一時保存部３４ａとを実行する。
【００３７】
なお、受信部３５ａと地域メッシュ演算部３５ｂと計数部３５ｃとデータ転送部３５ｄと測定数制御部３５ｅとは、プロセッサ３５が実行する処理部である。また、一時保存部３４ａは、記憶部３４が有するデータ領域である。各処理部は、回路などのハードウェアで構成することもできる。
【００３８】
受信部３５ａは、基地局装置１を介して端末装置１０から測定データを受信する処理部である。具体的には、受信部３５ａは、各基地局装置１の管理下の無線エリアに位置する端末装置１０が測定した無線エリアの品質情報を、各基地局装置１から受信する。図５は、無線品質収集装置が受信する測定データの例を示す図である。
【００３９】
図５に示すように、測定データは、「端末ＩＤ、測定時刻、測定場所、測定結果」が対応付けられる。ここで、「端末ＩＤ」は、無線品質を測定した端末装置１０を識別する識別子である。「測定時刻」は、無線品質が測定された時刻である。「測定場所」は、無線品質が測定された場所であり、例えば緯度と経度である。「測定結果」は、測定された無線品質を示す。
【００４０】
図５の例では、端末ＩＤが「ｕｅ１」の端末装置１０から、時刻「ｘｘ：ｙｙ：ｚｚ」に場所「緯度：経度」で測定された測定結果を示している。測定結果の一例としては、ＬＴＥの端末装置における物理層で測定される、チャネル帯域幅全体にわたるダウンリンク基準信号のリニアな平均値であるＲＳＲＰ（Reference  Signal  Received  Power）がある。また、ＬＴＥの信号品質の指標であるＲＳＲＱ（Reference  Signal  Received  Quality）などがある。
【００４１】
地域メッシュ演算部３５ｂは、受信部３５ａが受信した測定データから、緯度と経度を確認し、測定が行われた地域コードを算出する処理部である。そして、地域メッシュ演算部３５ｂは、受信部３５ａが受信した各測定データに地域コードを付与して、一時保存部３４ａに格納する。別の例としては、地域メッシュ演算部３５ｂは、受信部３５ａが受信して一時保存部３４ａに格納した各測定データに、地域コードを付与する。また、地域メッシュ演算部３５ｂは、各測定データに地域コードを付与したことを、計数部３５ｃに通知する。
【００４２】
例えば、地域メッシュ演算部３５ｂは、測定データに含まれる緯度と経度の情報をもとに、日本工業規格によるＪＩＳ  Ｘ  ０４１０の地域メッシュコードを生成する。そして、地域メッシュ演算部３５ｂは、測定データに地域メッシュコードを付与して、一時保存部３４ａに格納する。一例を挙げると、地域メッシュ演算部３５ｂは、緯度が３５．２８３４、経度が１３９．６５６１の場合、地域メッシュコードとして５２３９−７５４２の３次メッシュコードを算出する。
【００４３】
ここで生成される「地域メッシュコード」は、例えば基地局装置１から半径３０ｋｍに位置する無線エリアなど、所定の範囲に属する地域を識別できる情報である。図６は、無線品質収集装置が測定データを地域ごとに分類した例を示す図である。なお、図６に示される情報が一時保存部３４ａに格納される。
【００４４】
図６に示すように、一時保存部３４ａには、「端末ＩＤ、測定時刻、測定場所、測定結果、地域メッシュコード」から構成される測定データが格納される。ここで、「端末ＩＤ、測定時刻、測定場所、測定結果」は、端末装置１０から送信される測定データであり、「地域メッシュコード」は、地域メッシュ演算部３５ｂが算出した地域コードである。図６の場合、端末ＩＤが「ｕｅ１」の端末装置１０から、時刻「ｘｘ：ｙｙ：ｚｚ」に場所「緯度：経度」で測定された測定データには、地域メッシュコード「５２３９−７５４２」が付加されていることを示す。
【００４５】
計数部３５ｃは、所定の範囲に属する地域ごとに、測定データを計数する処理部である。具体的には、計数部３５ｃは、一時保存部３４ａに格納された各測定データの「地域メッシュコード」を参照して、同一の「地域メッシュコード」が付与される測定データを計数する。
【００４６】
図６を例にして説明すると、計数部３５ｃは、先頭の測定データの地域メッシュコード「５２３９−７５４２」を読み出し、この「５２３９−７５４２」が付与された測定データの数を計数する。次に、計数部３５ｃは、測定データを参照し、未計数の地域メッシュコードを読み出し、読み出した地域メッシュコードを有する測定データの数を計数する。
【００４７】
図７は、無線品質収集装置が地域ごとに測定データを計数した結果の例を示す図である。なお、ここで示した情報は、例えば記憶部３４等に一時的に格納される。図７に示すように、計数部３５ｃは、地域メッシュコード「５２３７−２５４２」が付加される測定データの数を「６８」、地域メッシュコード「５２３９−４５４２」が付加される測定データの数を「１３」と計数する。また、計数部３５ｃは、地域メッシュコード「５２３９−７５４２」が付加される測定データの数を「１２１」と計数する。
【００４８】
すなわち、図７の例では、地域メッシュコード「５２３７−２５４２」で特定される無線エリアから、６８個の測定データが受信されことを示す。また、地域メッシュコード「５２３９−４５４２」で特定される無線エリアから、１３個の測定データが受信されことを示す。また、地域メッシュコード「５２３９−７５４２」で特定される無線エリアから、１２１個の測定データが受信されことを示す。
【００４９】
データ転送部３５ｄは、計数部３５ｃによって計数された測定データの総数が所定数以上の地域について、当該地域に属する測定データの中から、所定数の測定データを選択して品質情報ＤＢ５０に格納する処理部である。具体的には、データ転送部３５ｄは、閾値を超える数の測定データが収集された無線エリアについては、測定データを間引いて品質情報ＤＢ５０に転送する。
【００５０】
例えば、データ転送部３５ｄは、各地域メッシュコードの測定データの計数結果について、計数結果を閾値で除算した整数部の値を格納すると決定する。そして、データ転送部３５ｄは、決定した整数部の値の数を、一時保存部３４ａから選択した品質情報ＤＢ５０に転送する。
【００５１】
図７を用いて一例を説明すると、データ転送部３５ｄは、地域メッシュコード「５２３９−７５４２」の測定データについては、カウント数「１２１」を閾値「１５」で除算して、「１２１／１５＝８．０６６・・・」を算出する。そして、データ転送部３５ｄは、地域メッシュコード「５２３９−７５４２」の測定データについては、９回に１回の割合でデータを格納する。
【００５２】
つまり、データ転送部３５ｄは、地域メッシュコード「５２３９−７５４２」における１番目のデータを一時保存部３４ａから読み出して品質情報ＤＢ５０に転送した後、２番目から８番目のデータについては一時保存部３４ａから読み出して削除する。その後、データ転送部３５ｄは、地域メッシュコード「５２３９−７５４２」における９番目のデータを一時保存部３４ａから読み出して品質情報ＤＢ５０に転送する。なお、１番目等の順番は、例えば一時保存部３４ａに格納されている順番や測定時刻の早い順などである。
【００５３】
また、データ転送部３５ｄは、様々なデータ間引き方法を採用することができる。例えば、データ転送部３５ｄは、地域メッシュコード「５２３９−７５４２」の測定データについては、一時保存部３４ａに記憶される該当測定データの中から、測定時間が最新のデータから順に９個のデータを選択してもよい。
【００５４】
測定数制御部３５ｅは、測定データの総数が所定数以上の地域に位置する端末装置１０に設定される、品質情報の収集周期を、現在設定される周期より長い周期に変更する処理部である。また、測定数制御部３５ｅは、測定データの総数が下限値以下の地域に位置する端末装置１０に設定される、品質情報の収集周期を、現在設定される周期より短い周期に変更する処理部である。
【００５５】
具体的には、測定数制御部３５ｅは、端末装置１０が集中する地域については、測定データを送信するタイミングを長い周期に変更して、測定データが集中することを防止し、さらにネットワーク帯域の浪費を抑制する。また、測定数制御部３５ｅは、端末装置１０が少ない地域については、測定データを送信するタイミングを短い周期に変更し、測定データを集中的に収集して、データ数不足による精度低下を抑制する。
【００５６】
例えば、測定数制御部３５ｅは、「カウント数／閾値×現在の設定周期」に周期を変更する。図７の地域メッシュコード「５２３７−２５４２」を例にして説明すると、測定数制御部３５ｅは、「６８（個）／１５×１０（ｓ）＝４５．３３３３」と算出する。したがって、測定数制御部３５ｅは、地域メッシュコード「５２３７−２５４２」に対応する「緯度：経度」を無線エリアとして管理する基地局装置１に対して、測定周期を「４５（ｓ）」に変更する指示を送信する。
【００５７】
別例としては、図７の地域メッシュコード「５２３９−４５４２」を例にして説明すると、測定数制御部３５ｅは、「１３（個）／１５×１０（ｓ）＝８．６６６６・・・」と算出する。したがって、測定数制御部３５ｅは、地域メッシュコード「５２３９−４５４２」に対応する「緯度：経度」を無線エリアとして管理する基地局装置１に対して、測定周期を「８（ｓ）」に変更する指示を送信する。
【００５８】
［格納制御処理の流れ］
図８は、実施例１に係る無線品質収集装置が実行する格納制御処理の流れを示すフローチャートである。図８に示すように、無線品質収集装置３０の受信部３５ａは、測定データを受信すると（Ｓ１０１：Ｙｅｓ）、受信した測定データを一時保存部３４ａに格納する（Ｓ１０２）。
【００５９】
受信部３５ａは、測定データを品質情報ＤＢ５０に格納する契機になるまで（Ｓ１０３：Ｎｏ）、Ｓ１０１とＳ１０２とを繰り返す。
【００６０】
そして、測定データを品質情報ＤＢ５０に格納する契機に到達すると（Ｓ１０３：Ｙｅｓ）、地域メッシュ演算部３５ｂは、一時保存部３４ａに格納される各測定データについて、地域メッシュコードを算出して付与する（Ｓ１０４）。
【００６１】
続いて、計数部３５ｃは、地域メッシュコードごとに、測定データの数をカウントする（Ｓ１０５）。そして、データ転送部３５ｄは、カウント結果を用いて、地域メッシュコードごとに、間引き率を算出する（Ｓ１０６）。
【００６２】
その後、データ転送部３５ｄは、一時保存部３４ａに格納される各測定データを参照して、算出された地域メッシュコードの総数（ｎ）を特定する（Ｓ１０７）。続いて、データ転送部３５ｄは、各地域メッシュコードに変数ｌ（１）〜ｌ（ｎ）を付与する（Ｓ１０８）。
【００６３】
そして、データ転送部３５ｄは、変数（ｉ）に１を代入し（Ｓ１０９）、ｌ（ｉ）に対応する地域メッシュコードを有する測定データを一時保存部３４ａから読み出す（Ｓ１１０）。その後、データ転送部３５ｄは、対応する間引き率にしたがって、測定データを選択して品質情報ＤＢ５０に転送する（Ｓ１１１）。
【００６４】
その後、データ転送部３５ｄは、変数（ｉ）をインクリメントし（Ｓ１１２）、インクリメント後の変数（ｉ）が地域メッシュコードの総数（ｎ）よりも大きい場合（Ｓ１１３：Ｙｅｓ）、処理を終了する。一方、データ転送部３５ｄは、インクリメント後の変数（ｉ）が地域メッシュコードの総数（ｎ）よりも小さい場合（Ｓ１１３：Ｎｏ）、Ｓ１１０に戻って以降の処理を繰り返す。
【００６５】
［処理シーケンス］
図９は、実施例１に係る無線通信システムが実行する処理シーケンス図である。図９に示すように、ＥＭＳ／ＮＭＳ４０は、測定周期のポリシー設定を各基地局装置１に送信する（Ｓ２０１とＳ２０２）。例えば、ＥＭＳ／ＮＭＳ４０は、初期値１０（ｓ）などを各基地局装置１に送信する。
【００６６】
基地局装置１は、自身が通信可能な無線エリアの各端末装置１０に対して、ＥＭＳ／ＮＭＳ４０から通知された測定周期を通知する（Ｓ２０３とＳ２０４）。そして、各端末装置１０は、通知された測定周期にしたがって無線品質の測定を実行すると（Ｓ２０５）、位置情報の測定も実行し（Ｓ２０６）、測定が完了すると、基地局装置１を介して、無線品質収集装置３０に測定データを送信する（Ｓ２０７とＳ２０８）。
【００６７】
そして、無線品質収集装置３０は、測定データを受信すると、図８に示した格納制御処理を実行して、測定データを間引いて品質情報ＤＢ５０に格納する（Ｓ２０９とＳ２１０）。その後、無線品質収集装置３０は、測定データの数、閾値、現在の測定周期等を用いて、地域メッシュコードごとに測定周期を算出する（Ｓ２１１）。そして、無線品質収集装置３０は、新たな測定ポリシーの変更要求をＥＭＳ／ＮＭＳ４０に送信する（Ｓ２１２とＳ２１３）。例えば、無線品質収集装置３０は、新たに算出した地域メッシュコードごとの測定周期をＥＭＳ／ＮＭＳ４０に送信する。
【００６８】
続いて、ＥＭＳ／ＮＭＳ４０は、通知された新たな測定ポリシー設定を各基地局装置１に送信する（Ｓ２１４とＳ２１５）。基地局装置１は、自身が通信可能な無線エリアの各端末装置１０に対して、ＥＭＳ／ＮＭＳ４０から通知された新たな測定周期を通知する（Ｓ２１６とＳ２１７）。その後、上記処理が繰り返される。
【００６９】
［具体例］
図１０は、実施例１に係る無線通信システムが実行する処理を説明する図である。端末装置１０は、自身が属する無線エリアの品質情報を測定すると、当該無線エリアを管理する基地局装置１に測定データを送信し、基地局装置１が測定データを無線品質収集装置３０に送信する。
【００７０】
無線品質収集装置３０は、所定の範囲に属する地域ごとに、測定データの数を計数し、測定データの総数が所定数以上の地域について、当該地域に属する品質情報の中から、所定数の品質情報を選択して品質情報ＤＢ５０に格納する。このようにすることで、端末装置１０が集中することにより、過剰に収集された測定データを選択して品質情報ＤＢ５０に格納することができる。この結果、品質情報ＤＢ５０の記憶容量の削減、無線品質収集装置３０と品質情報ＤＢ５０との間のネットワーク帯域の浪費を削減でき、無線品質の改善に係る設備投資を抑制できる。
【００７１】
また、品質情報ＤＢ５０は、端末装置１０によって収集された測定データについて、重複する測定データを適切に間引かれた状態で記憶する。この結果、品質分析端末７０は、無線品質の改善に使用する測定データが少ない場合でも、解析精度の低下を抑制することができる。
【００７２】
また、無線品質収集装置３０は、測定データ数等を用いて、測定データが集中している地域については測定周期を長くし、測定データが少ない地域については測定周期を短くするように、新たな測定ポリシーを設定して、ＥＭＳ／ＮＭＳ４０に通知する。
【００７３】
ＥＭＳ／ＮＭＳ４０は、各基地局装置１に該当する新たな測定ポリシーを通知し、各基地局装置１は、通知された測定ポリシーを管理下の端末装置１０に送信する。このようにすることで、端末装置１０が集中している地域では、測定データの収集周期を長くし、端末装置１０が少ない地域では、測定データの収集周期を短くすることができる。
【００７４】
この結果、無線品質収集装置３０は、地域メッシュ８０上の地域ごとに、測定周期を制御することができ、特定の地域にて重複する品質情報が過剰に収集されることを防ぎ、適正量の無線品質情報を収集して利用できる。また、端末装置１０によって収集される品質情報数が、一部の地域に集中したり、不足することを防ぐことができる。これにより事業者は、無線エリアの品質改善業務に対する過剰な設備投資を抑え、かつ適切な量の無線品質のデータを入手できるようになり、業務を効率的に実施できる。また、端末装置１０の測定周期を適切に制御することができるので、無線品質収集装置３０と各基地局装置との間のネットワークの浪費を抑制できる。
【実施例２】
【００７５】
さて、これまで本発明の実施例について説明したが、本発明は上述した実施例以外にも、種々の異なる形態にて実施されてよいものである。そこで、以下に異なる実施例を説明する。
【００７６】
（地域分類）
実施例１では、地域を分類する手法として地域メッシュコードを用いる例を説明したが、これに限定されるものではない。例えば、緯度と経度で特定される無線エリアごとに分類することもでき、また、無線エリアを収容する基地局装置ごとに分類することもできる。
【００７７】
（システム）
また、本実施例において説明した各処理のうち、自動的におこなわれるものとして説明した処理の全部または一部を手動的におこなうこともできる。あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００７８】
また、図示した各装置の各構成要素は機能概念的なものであり、必ずしも物理的に図示の如く構成されていることを要しない。すなわち、各装置の分散や統合の具体的形態は図示のものに限られない。つまり、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【符号の説明】
【００７９】
１  基地局装置
１０  端末装置
１１  アンテナ
１２  無線部
１３  オーディオ入出力部
１３ａ  マイク
１３ｂ  スピーカ
１４  表示部
１５  ＧＰＳ測定部
１６  記憶部
１７  プロセッサ
３０  無線品質収集装置
３１  通信インタフェース
３２  入力装置
３３  表示装置
３４  記憶部
３４ａ  一時保存部
３５  プロセッサ
３５ａ  受信部
３５ｂ  地域メッシュ演算部
３５ｃ  計数部
３５ｄ  データ転送部
３５ｅ  測定数制御部
５０  品質情報ＤＢ
【図１】
2014212399.tif 000003
【図２】
2014212399.tif 000004
【図３】
2014212399.tif 000005
【図４】
2014212399.tif 000006
【図５】
2014212399.tif 000007
【図６】
2014212399.tif 000008
【図７】
2014212399.tif 000009
【図８】
2014212399.tif 000010
【図９】
2014212399.tif 000011
【図１０】
2014212399.tif 000012